(57)【要約】【課題】天面を設置面として設置した場合であってもフックを利用することができるナースコール子機を提供する。【解決手段】壁面を設置面Ｗとした際におけるプレート子機１１の前面に、上下方向へ延びる舌片部２８と、舌片部の下端部から前方へ突出した後に上方へ折り曲げられた湾曲片部２９とからなる略Ｌ字状に形成されたフック２７を、舌片部２８の上端部を軸支した状態で設け、フック２７を、舌片部２８がプレート子機１１の前面側へ傾倒してハンド子機１２を引っ掛け可能な傾倒姿勢と、舌片部２８がプレート子機１１の前面に対して起立する起立姿勢との間で回動自在とした。そして、天面を設置面Ｗとし、プレート子機１１の前面を下方へ向けた姿勢でプレート子機１１を設置すると、フック２７が自重により傾倒姿勢から起立姿勢へと移動し、該起立姿勢にあるフック２７へハンド子機１２を引っ掛け可能とした。【選択図】図１１
2014171531.tif 000002
【特許請求の範囲】
【請求項１】
壁面等の設置面に設置されるプレート子機と、患者等により操作されるハンド子機とからなり、前記ハンド子機のハンド側コネクタを、前記プレート子機のプレート側コネクタへ差し込むことによって、前記プレート子機と前記ハンド子機とを電気的に接続可能としたナースコール子機であって、
壁面を前記設置面とした際における前記プレート子機の前面に、上下方向へ延びる舌片部と、前記舌片部の下端部から前方へ突出した後に上方へ折り曲げられた湾曲片部とからなる略Ｌ字状に形成されたフックを、前記舌片部の上端部を軸支した状態で設け、前記フックを、前記舌片部が前記プレート子機の前面側へ傾倒して前記ハンド子機を引っ掛け可能な傾倒姿勢と、前記舌片部が前記プレート子機の前面に対して起立する起立姿勢との間で回動自在としており、
天面を前記設置面とし、前記プレート子機の前面を下方へ向けた姿勢で前記プレート子機を設置すると、前記フックが自重により前記傾倒姿勢から前記起立姿勢へと移動し、該起立姿勢にある前記フックへ前記ハンド子機を引っ掛け可能としたことを特徴とするナースコール子機。
【請求項２】
壁面を前記設置面とした際における前記プレート子機の前面に、前記プレート側コネクタと前記ハンド側コネクタとを接続するための差込孔を設けるとともに、
前記傾倒姿勢にある前記フックの前記舌片部が前記差込孔の前方を覆う一方、前記フックを前記起立姿勢とすると前記差込孔が露出することを特徴とする請求項１に記載のナースコール子機。
【発明の詳細な説明】
【技術分野】
【０００１】
本発明は、ナースコール親機や廊下灯、制御機等からなるナースコールシステムを構成するナースコール子機に関するものである。
【背景技術】
【０００２】
従来、一般的なナースコールシステムには、たとえば病室内の各ベッド毎にその近傍位置に設置され、患者がナースステーションに設置されたナースコール親機を呼び出す等するためのナースコール子機が設けられている。そのようなナースコール子機は、概して壁面等に設置されるプレート子機と、患者が操作可能なボタン等を備えたハンド子機とを有してなる。そして、プレート子機とハンド子機とは、各子機毎に設けられているコネクタ同士を接続する態様で接続されている（たとえば特許文献１）。すなわち、たとえばプレート子機が壁面へ設置されているとすると、１又は複数のピンが突設された形状のハンド子機のコネクタ（所謂プラグ）を、プレート子機の前面に設けられたプレート子機側コネクタ（所謂レセプタクル）に差し込む等して、プレート子機とハンド子機とを接続していた。また、プレート子機にフックを固着する一方、ハンド子機にフックへ引っ掛けるためのハンガーを設け、たとえば使用していないハンド子機をプレート子機へ引っ掛けておくような使い方を可能としていた。
【先行技術文献】
【特許文献】
【０００３】
【特許文献１】特開平９−１３０４９０号公報
【発明の概要】
【発明が解決しようとする課題】
【０００４】
ここで、ナースコール子機の使用形態を考えてみると、壁面ばかりが設置面ではなく、壁面から前方へ張り出す張り出し部が設けられているような場合、その張り出し部の天面を設置面とすることがある。すなわち、プレート子機の前面を下方へ向けた姿勢で設置面へ設置することがある。しかしながら、上記従来のナースコール子機では、フックがプレート子機の前面に固着されているため、天面を設置面としてナースコール子機を設置してしまうとフックを利用できない、すなわちハンド子機をプレート子機へ引っ掛けられなくなってしまうという問題があった。
【０００５】
そこで、本発明は、上記問題に鑑みなされたものであって、天面を設置面として設置した場合であってもフックを利用することができるナースコール子機を提供しようとするものである。
【課題を解決するための手段】
【０００６】
上記目的を達成するために、本発明のうち請求項１に記載の発明は、壁面等の設置面に設置されるプレート子機と、患者等により操作されるハンド子機とからなり、ハンド子機のハンド側コネクタを、プレート子機のプレート側コネクタへ差し込むことによって、プレート子機とハンド子機とを電気的に接続可能としたナースコール子機であって、壁面を設置面とした際におけるプレート子機の前面に、上下方向へ延びる舌片部と、舌片部の下端部から前方へ突出した後に上方へ折り曲げられた湾曲片部とからなる略Ｌ字状に形成されたフックを、舌片部の上端部を軸支した状態で設け、フックを、舌片部がプレート子機の前面側へ傾倒してハンド子機を引っ掛け可能な傾倒姿勢と、舌片部がプレート子機の前面に対して起立する起立姿勢との間で回動自在としており、天面を設置面とし、プレート子機の前面を下方へ向けた姿勢でプレート子機を設置すると、フックが自重により傾倒姿勢から起立姿勢へと移動し、該起立姿勢にあるフックへハンド子機を引っ掛け可能としたことを特徴とする。
請求項１に記載の発明によれば、フックを、その舌片部がプレート子機の前面側へ傾倒してハンド子機を引っ掛け可能な傾倒姿勢と、舌片部がプレート子機の前面に対して起立する起立姿勢との間で回動自在とし、天面を設置面とし、プレート子機の前面を下方へ向けた姿勢でプレート子機を設置すると、フックが自重により傾倒姿勢から起立姿勢へと移動するようにしているため、天面を設置面として設置したとしても、該起立姿勢にあるフックへハンド子機を引っ掛けることができる。
【０００７】
請求項２に記載の発明は、請求項１に記載の発明において、壁面を設置面とした際におけるプレート子機の前面に、プレート側コネクタとハンド側コネクタとを接続するための差込孔を設けるとともに、傾倒姿勢にあるフックの舌片部が差込孔の前方を覆う一方、フックを起立姿勢とすると差込孔が露出することを特徴とする。
請求項２に記載の発明によれば、フックの舌片部が差込孔の前方を覆っているため、差込孔から埃等が本体ケース内へ侵入しにくく、本体ケース内やコネクタに埃等が溜まりにくい。また、フックとコネクタとが重ならないように並設していたものと比較して、プレート子機、ひいてはナースコール子機の一層の小型化を図ることができるし、ハンド側コネクタを差込孔へ差し込む際には、フックを起立姿勢側へ回動させて差込孔を露出させればよく、コネクタ接続に係る作業性が悪化することもない。
【発明の効果】
【０００８】
本発明によれば、フックを、その舌片部がプレート子機の前面側へ傾倒してハンド子機を引っ掛け可能な傾倒姿勢と、舌片部がプレート子機の前面に対して起立する起立姿勢との間で回動自在とし、天面を設置面とし、プレート子機の前面を下方へ向けた姿勢でプレート子機を設置すると、フックが自重により傾倒姿勢から起立姿勢へと移動しているため、たとえ天面を設置面として設置したとしても該起立姿勢にあるフックへハンド子機を引っ掛けることができる。したがって、天面を設置面とした際にもフックが利用可能であり、利便性に富むし、別途専用のフック等を設けずともよく、部品点数が少なくてすむ、プレート子機、ひいてはナースコール子機の小型化を図ることができる等といった効果がある。
【図面の簡単な説明】
【０００９】
【図１】ナースコールシステムの全体構成を示したシステム説明図である。
【図２】プレート子機を前方から示した説明図である。
【図３】プレート子機を側方から示した説明図である。
【図４】化粧パネルを外した状態にあるプレート子機を前方から示した説明図である。
【図５】図４中のＡ−Ａ線断面を示した説明図である。
【図６】分解した状態にあるプレート子機の斜視説明図である。
【図７】フックが起立姿勢にあるプレート子機を前方から示した説明図である。
【図８】フックが起立姿勢にあるプレート子機を側方から示した説明図である。
【図９】プレート側コネクタとハンド側コネクタとを接続した状態にあるプレート子機の断面を示した説明図である。
【図１０】傾倒姿勢にあるフックへハンド子機を引っ掛けた状態を示した説明図である。
【図１１】起立姿勢にあるフックへハンド子機を引っ掛けた状態を示した説明図である。
【発明を実施するための形態】
【００１０】
以下、本発明の一実施形態となるナースコール子機について、図面にもとづき詳細に説明する。
【００１１】
まず、ナースコールシステム１の全体的な構成について、図１をもとに簡略に説明する。図１は、ナースコールシステム１の全体構成を示したシステム説明図である。
ナースコールシステム１は、病室内で各ベッド毎にその近傍位置に設置され、患者が看護人を呼び出す等するためのナースコール子機２、２・・と、病室の出入口の近傍に設置されナースコール子機２の操作を点滅等で報知する廊下灯３、３・・と、ナースステーション等に設置され、ナースコール子機２、２・・からの呼び出しに応答する等するためのナースコール親機４と、それら機器の通話動作等を制御する制御機５とを有してなる。そして、ナースコール子機２、２・・、廊下灯３、３・・、ナースコール親機４、及び制御機５は、ラインＬを介して電気的に接続されている。また、各ナースコール子機２は、壁面等の設置面Ｗに設置されるプレート子機１１と、患者が操作可能なボタン部１２ａ等を備えたハンド子機１２とを有してなり、両子機１１、１２は後述の如くコネクタ接続されている。
【００１２】
ここで、本発明の要部となるナースコール子機２においてプレート子機１１とハンド子機１２とをコネクタ接続するための構造について、図２〜図９をもとに説明する。
図２は、プレート子機１１を前方から示した説明図であり、図３は、プレート子機１１を側方から示した説明図である。図４は、化粧パネル１３を外した状態にあるプレート子機１１を前方から示した説明図であり、図５は、図４中のＡ−Ａ線断面を示した説明図である。図６は、分解した状態にあるプレート子機１１の斜視説明図である。図７は、フック２７が起立姿勢にあるプレート子機１１を前方から示した説明図であり、図８は、フック２７が起立姿勢にあるプレート子機１１を側方から示した説明図である。図９は、プレート側コネクタ２０とハンド側コネクタ３５とを接続した状態にあるプレート子機１１の断面を示した説明図である。
【００１３】
まず、プレート子機１１の構造について説明すると、プレート子機１１は、設置面Ｗ内に埋設される収納ボックス１４、及び該収納ボックス１４の前面側に組み付けられる蓋体１５からなる本体ケースと、蓋体１５の周縁部を覆うように組み付けられる化粧パネル１３とを備えてなる。収納ボックス１４は、前面に開口を有する合成樹脂製の箱体であって、収納ボックス１４内の後側には廊下灯３へ各種信号を出力するための本体基板１７が、前側には自身に設けられたボタン１８の押し込み操作によりＯＮ／ＯＦＦされるスイッチを搭載したスイッチ基板１９が夫々内蔵されている。また、収納ボックス１４内には、ハンド子機１２のハンド側コネクタ３５を接続するためのプレート側コネクタ２０が内蔵されている。プレート側コネクタ２０は、１本のピン２０ａを有する所謂オスのコネクタであって、ピン２０ａが設置面Ｗに対して２４°の傾斜角度で下側を向くような姿勢で取り付けられている。また、プレート側コネクタ２０の基端側の一部は、前後方向で上記本体基板１７とスイッチ基板１９とに挟まれた空間内に位置している。なお、２１は、プレート側コネクタ２０を取り付けたり、スイッチ基板１９を設置したりするための保持フレームであって、収納ボックス１４内に固定されている。また、該保持フレーム２１には、収納ボックス１４内へ差し込まれたハンド側コネクタ３５をプレート側コネクタ２０へ案内するための案内面２１ａが設けられている。さらに、２２は、プレート子機１１を壁面に設置するためのネジ止め板であって、収納ボックス１４の前面開口縁に設けられたフランジ部２３に取り付け可能となっている。
【００１４】
一方、蓋体１５は、収納ボックス１４の前面開口を覆うように組み付けられる板状部材であって、中央から下部にかけてハンド側コネクタ３５を収納ボックス１４内へ差し込むための差込孔２４が開設されている。また、蓋体１５の上部には、ボタンプレート２５が設けられており、押し込み操作によって廊下灯３の点滅を停止させるためのボタン１８がボタンプレート２５に接するように取り付けられている。さらに、差込孔２４とボタンプレート２５との間に軸受け部２６が設けられており、該軸受け部２６に、ハンド子機１２を引っ掛けるためのフック２７が左右方向を軸として回動自在に設けられている。
【００１５】
フック２７は、側面視略Ｌ字状に形成されてなるもので、上下方向に延びる舌片部２８と、舌片部２８の下端部から前方へ突出した後に上方へ折り曲げられた湾曲片部２９と、上端に軸部３０を有し、舌片部２８の周囲に舌片部２８と一体的に設けられた枠部３１とを有する。そして、該フック２７は、図２や図３に示す如くフック２７の後面が蓋体１５の前面に当接する傾倒姿勢と、図７や図８に示す如くフック２７の後面が蓋体１５に対して略９０°となる起立姿勢との間を回動可能となっている。また、フック２７が傾倒姿勢にある際、舌片部２８が差込孔２４の前方を前面視で覆っている。ただ、舌片部２８は、前方へ円弧状に膨出する膨出状で、その前方への膨出量が下方へ向かうにしたがい徐々に大きくなるように形成されており、フック２７が傾倒姿勢にある際、フック２７の舌片部２８の後面と蓋体１５の前面との間に、差込孔２４へ差し込まれたハンド側コネクタ３５のケーブル３６の挿通を許容し、該ケーブル３６をフック２７の外側へ逃がすためのスペース３２が形成されるようになっている。なお、フック２７の重心は、壁面を設置面Ｗとして設置すると自動的に傾倒姿勢となるような位置にある。また、壁面から前方へ張り出す張り出し部が設けられているような場合、その張り出し部の天面を設置面Ｗとし、蓋体１５が下方を向くような姿勢でプレート子機１１を設置すると、フック２７が自重により垂れ下がり、傾倒姿勢からフック２７の後面が蓋体１５に対して略６０°となる起立姿勢へと移動するようになっている。
【００１６】
次に、上述したようなプレート子機１１の使用態様について、壁面を設置面Ｗとしてプレート子機１１を設置したとして説明すると、プレート子機１１は、蓋体１５を前方へ向けた姿勢で壁面に設置されており、フック２７は上述したように傾倒姿勢にある。そして、ハンド子機１２を接続する際には、フック２７を持ち上げ起立姿勢として差込孔２４を露出させ、差込孔２４からハンド側コネクタ３５を差し込み、プレート側コネクタ２０に接続させればよい。その後、フック２７の持ち上げを解除すれば、フック２７は自重で傾倒姿勢側へと回動し、スペース３２内にケーブル３６を通した状態で傾倒姿勢をとる。そして、ハンド子機１２を使用していない際には、図１０に示す如くハンド子機１２に備えられたハンガー３７をフック２７へ引っ掛けておけばよい。一方、上述したような天面を設置面Ｗとしてプレート子機１１を設置すると、フック２７は自重で垂れ下がり起立姿勢となる。そこで、フック２７を持ち上げたりすることなく、その状態のままハンド側コネクタ３５をプレート側コネクタ２０に接続すればよい。また、使用していないハンド子機１２についても、上記同様、図１１に示す如く起立姿勢にあるフック２７へハンガー３７を引っ掛けておけばよい。なお、ハンド子機１２のハンド側コネクタ３５は、ピン２０ａが嵌入可能な受け口３５ａを有する所謂メスのコネクタとなっている。
【００１７】
以上のような構成を有するナースコール子機２によれば、壁面を設置面Ｗとした際におけるプレート子機１１の前面に、上下方向へ延びる舌片部２８と、舌片部の下端部から前方へ突出した後に上方へ折り曲げられた湾曲片部２９とからなる略Ｌ字状に形成されたフック２７を、舌片部２８の上端部を軸支した状態で設け、フック２７を、舌片部２８がプレート子機１１の前面側へ傾倒してハンド子機１２を引っ掛け可能な傾倒姿勢と、舌片部２８がプレート子機１１の前面に対して起立する起立姿勢との間で回動自在とした。そして、天面を設置面Ｗとし、プレート子機１１の前面を下方へ向けた姿勢でプレート子機１１を設置すると、フック２７が自重により傾倒姿勢から略６０°起立した起立姿勢へと移動し、該起立姿勢にあるフック２７へハンド子機１２を引っ掛け可能とした。したがって、壁面を設置面Ｗとした際も、天面を設置面Ｗとした際もフック２７を利用することができ、利便性に富むし、使用形態に応じて別途専用のフック等を設ける必要がなく、部品点数が少なくてすむ、プレート子機１１の小型化を図ることができる等といった効果もある。
【００１８】
また、傾倒姿勢にあるフック２７の舌片部２８が差込孔２４の前方を覆うようにフック２７を設けるとともに、フック２７を起立姿勢とすることで差込孔２４が露出するようにしているため、フック２７と差込孔２４とを重ならないように上下若しくは左右に並設していたものと比較して、プレート子機１１、ひいてはナースコール子機２の更なる小型化を図ることができるし、差込孔２４から埃等が収納ボックス１４内へ侵入しにくい構成となっている。さらに、ハンド側コネクタ３５を差込孔２４へ差し込む際には、フック２７を起立姿勢側へ回動させて差込孔２４を露出させればよいため、コネクタ接続に係る作業性が悪化することもない。
【００１９】
さらにまた、プレート子機１１において、ピン２０ａが設置面Ｗに対して２４°の傾斜角度で下側を向くような姿勢でプレート側コネクタ２０を取り付けているため、該プレート側コネクタ２０にハンド側コネクタ３５を接続した際、設置面Ｗに直交する方向へ差し込んでいた従来のコネクタ構造と比較して、設置面Ｗからのハンド側コネクタ３５の突出量を小さくすることができる。したがって、患者や看護人が誤って手を引っ掛けてしまう等しにくく、プレート側コネクタ２０とハンド側コネクタ３５との接続が外れにくい、プレート側コネクタ２０やハンド側コネクタ３５が破損しにくい等の効果がある。さらに、ハンド子機１２をプレート子機１１へ引っ掛ける際にも、プレート側コネクタ２０とハンド側コネクタ３５との接続部分が邪魔となりにくいため、ハンド子機１２をプレート子機１１に引っ掛けやすい、引っ掛けておいたハンド子機１２が脱落しにくい等といった効果もある。
加えて、収納ボックス１４内において本体基板１７とスイッチ基板１９との間の空間を利用してプレート側コネクタ２０を取り付けている。したがって、収納ボックス１４内のスペースを有効に利用することができ、プレート子機１１の更なる小型化を図ることができる。
【００２０】
なお、本発明に係るナースコール子機は、上記実施形態の態様に何ら限定されるものではなく、ナースコール子機の全体的な構成は勿論、フックやコネクタ等の構成について、本発明の趣旨を逸脱しない範囲で、必要に応じて適宜変更することができる。
【００２１】
たとえば、上記実施形態では、プレート側コネクタ２０の姿勢を、ピン２０ａが設置面Ｗに対して２４°の傾斜角度で下側を向くような姿勢としているが、従来同様、設置面Ｗに対して直交する方向から差し込むように構成することも可能である。また、傾斜させるとしても、その傾斜角度に関しては適宜変更可能であるが、傾斜角度が２０°〜３０°の範囲内であると好ましい。
また、上記実施形態とは逆に、プレート側コネクタ２０をメスのコネクタとし、ハンド側コネクタ３５をオスのコネクタとすることも可能である。
さらに、上記実施形態では、フック２７を、舌片部２８が差込孔２４の前方を覆うような位置に設けているが、従来同様、差込孔２４の上下左右に隣接して設けても何ら問題はない。
加えて、フック２７に膨出部を設けたり、フック２７と蓋体１５との間にスペース３２を設けたりしなくともよいし、たとえフック２７に膨出部を形成としても、上記実施形態の如く前方への膨出量が下方へ向かうにしたがい徐々に大きくなるように形成せずともよく、上方から下方にかけて前方への突出量が一律であるような膨出部を設けても何ら問題はない。
【符号の説明】
【００２２】
１・・ナースコールシステム、２・・ナースコール子機、１１・・プレート子機、１２・・ハンド子機、１４・・収納ボックス、１５・・蓋体、１７・・本体基板、１９・・スイッチ基板、２０・・プレート側コネクタ、２１・・保持フレーム、２１ａ・・案内面、２４・・差込孔、２６・・軸受け部、２７・・フック、２８・・舌片部、２９・・湾曲片部、３０・・軸部、３１・・枠部、３２・・スペース、３５・・ハンド側コネクタ、３６・・ケーブル、３７・・ハンガー。
【図１】
2014171531.tif 000003
【図２】
2014171531.tif 000004
【図３】
2014171531.tif 000005
【図４】
2014171531.tif 000006
【図５】
2014171531.tif 000007
【図６】
2014171531.tif 000008
【図７】
2014171531.tif 000009
【図８】
2014171531.tif 000010
【図９】
2014171531.tif 000011
【図１０】
2014171531.tif 000012
【図１１】
2014171531.tif 000013